(57)【要約】【課題】遊技者が不注意に灰皿に触れても、タバコの吸殻が零れ落ちるようなことがなく、また、喫煙者用と禁煙者用との交換が簡単に行えるばかりか、灰皿が常に安定して不具合が生じない弾球遊技機を提供する。【解決手段】前面下部２ａに取付口１３が開設され該取付口１３に灰皿６を装着してなる弾球遊技機Ｐであって、前記灰皿６は上面が開口２４ａすると共に前後方向へ自在に回動するようにその下部で軸着され、前記灰皿６が取付口１３から外側へ露出する喫煙位置と取付口１３の内側へ収納される禁煙位置とでそれぞれ固定し得る固定手段１５，２１を備えた構成からなる。【選択図】図９
2006116146.tif 000002
【特許請求の範囲】
【請求項１】
前面下部に取付口が開設され該取付口に灰皿を装着してなる弾球遊技機であって、前記灰皿は上面が開口すると共に前後方向へ自在に回動するようにその下部で軸着され、前記灰皿が前記取付口から外側へ露出する喫煙位置と前記取付口の内側へ収納される禁煙位置とでそれぞれ固定し得る固定手段を備えたことを特徴とする弾球遊技機。
【請求項２】
前記灰皿の前面を開口すると共に該開口近傍の上部に該開口を自在に開閉する蓋板を軸着した請求項１記載の弾球遊技機。
【請求項３】
前記蓋板の前面を平坦面に成形して表示用のスペースとした請求項１又は２記載の弾球遊技機。
【発明の詳細な説明】
【技術分野】
【０００１】
本発明は、喫煙者用と禁煙者用とに使い分けできる灰皿を備えた弾球遊技機に関するものである。
【背景技術】
【０００２】
従来、弾球遊技機の一種であるパチンコ遊技機には、喫煙者用と禁煙者用とに使い分けするようにしたものがある。すなわち、このパチンコ遊技機は、灰皿が厚みを有した細長い形をし、その一方にタバコの吸殻を入れる灰皿受け部を有し、他方に盲板を有している。また、灰皿の両端近くに当て板の突起が嵌入し得る受溝を有し、又、灰皿受け部より盲板が長く設けてある。更に、前記灰皿受け部はその両側にヒンジが設けられ、前後に自在の回動するようにしてある。そこで、パチンコ遊技機の下球皿の貫通孔に合わせて案内溝内に灰皿の張り出し部を滑りこませて差し込むと、奥端部の止板に当り停止すると共に、下方の当て板の突起が灰皿の受溝に嵌入して灰皿を固定する。これにより、パチンコ遊技機が喫煙者用として使用される。これに対し、灰皿を抜き出す場合は、下方の当て板を下方に押し下げて灰皿を引き抜く。そして、今度は逆に灰皿を灰皿受け部側から貫通孔に滑り込ませて差込む。これにより、禁煙者用として使用することができる（例えば、特許文献１参照。）。
【特許文献１】特開平９−２０６４５１号公報(第２−３頁、図１、図２)
【発明の開示】
【発明が解決しようとする課題】
【０００３】
しかしながら、前記特許文献１のパチンコ遊技機は、喫煙者用として使用される場合、灰皿受け部がその両側のヒンジにより前後に自在に回動するようになっているので、例えば、遊技者が不注意に灰皿受け部に触れて該灰皿受け部を前側へ回動させ、その中に溜まっていたタバコの吸殻を着衣や床面に零し汚してしまうといった課題がある。また、パチンコ遊技機を喫煙者用から禁煙者用へ換える場合、灰皿を一旦貫通孔から抜き、再び灰皿受け部側から差し込まなくてはならず、作業が煩雑であるという課題がある。更に、灰皿は当て板の弾性により受溝に突起を嵌入させて固定するようにしているので、灰皿の交換が続くと当て板がヘタり、灰皿が前側へ引くとそのまま抜け出てしまうといった不具合が生ずる危険性が有る。
【０００４】
そこで、本発明は上記課題を解決すべくなされたもので、遊技者が不注意に灰皿に触れても、タバコの吸殻が零れ落ちるようなことがなく、また、喫煙者用と禁煙者用との交換が簡単に行えるばかりか、灰皿が常に安定して不具合が生じない弾球遊技機を提供することを目的とするものである。
【課題を解決するための手段】
【０００５】
かかる目的を達成するため本発明に係る弾球遊技機は、前面下部に取付口が開設され該取付口に灰皿を装着してなる弾球遊技機であって、前記灰皿は上面が開口すると共に前後方向へ自在に回動するようにその下部で軸着され、前記灰皿が前記取付口から外側へ露出する喫煙位置と該取付口の内側へ収納される禁煙位置とでそれぞれ固定し得る固定手段を備えた構成からなる。
【０００６】
この際、前記灰皿の前面を開口すると共に該開口近傍の上部に該開口を自在に開閉する蓋板を軸着することが好ましい。
【０００７】
また、前記蓋板の前面を平坦面に成形して表示用のスペースとすることが好ましい。
【発明の効果】
【０００８】
請求項１に係る弾球遊技機は、喫煙位置では灰皿が固定されることから、遊技者が不注意に灰皿に触れても該灰皿が勝手に前側に回動しないので、タバコの吸殻を誤って着衣や床面に零して汚すといったことがない。また、弾球遊技機を喫煙者用と禁煙者用とに変換することが簡単に行なえ、しかも、灰皿が常に安定して不具合が生じないという効果がある。
【０００９】
請求項２に係る弾球遊技機は、灰皿の前面を開口すると共に該開口近傍の上部に該開口を自在に開閉する蓋板を軸着してなるので、蓋板を回動させるのみで灰皿内のタバコの吸殻を取り除くことができ、簡便である。
【００１０】
請求項３に係る弾球遊技機は、蓋板の前面が平坦面に成形されているので、この面が広告や各種デザイン等の表示を掲載するスペースとして有効利用でき至便である。
【発明を実施するための最良の形態】
【００１１】
以下、本発明に係る弾球遊技機の実施の形態を図面に基づき説明する。弾球遊技機にはパチンコ遊技機、雀球遊技機、アレパチ機、アレンジボール機があり、本発明はいずれにも適用できるが、この内、一例としてパチンコ遊技機について説明する。
【００１２】
図１は本発明に係り禁煙者用のパチンコ遊技機の前面下部の斜視図、図２は同喫煙者用のパチンコ遊技機の前面下部の斜視図である。図において、１は機枠であり、その前面に前面枠２がその一側（正面から見て左側。）を中心として開閉自在に軸着されている。また、前面枠２の前面には遊技盤（図示せず。）の前面を覆う透明板保持枠４ａが装着されており、その下部に賞品球を貯留する上球皿３が装着された前板４ｂが同じく一側を中心として開閉自在に軸着されている。
【００１３】
そして、前記前面枠２の前面下部２ａに、その中央に位置して排出口２ｂを囲い前記上球皿３から溢れるパチンコ球を貯留する下球皿５が装着される。また、その一側に灰皿６が装着され、他側に打球の打球力を調整する操作ハンドル７が装着されている。
【００１４】
次に、灰皿６について説明する。この灰皿６は、パチンコ遊技機Ｐを喫煙者用又は禁煙者用として使い分けできるようになっており、図３乃至図５に示すように保持枠体８に一体に組み込まれる。保持枠体８は前側の装飾部材９とその後側の箱部材１０とからなる。
【００１５】
装飾部材９は、正面略円形の前側板１１の外周縁に後方へ突出する周側片１２が周設され、前側板１１の中央には下縁を切り欠いて開放する方形状の取付口１３が開設される。この取付口１３内に前記灰皿６が介入することになる。前側板１１の後面には、その中央上部に後方へ突出する突状部１４が設けられ、該突状部１４の後端に鉛直面内で回動して先端部が取付口１３に臨む固定手段としての第一レバー１５がビス１５ｂにより軸着される。また、前側板１１後面の両側には取付口１３の両側縁に沿って後端面に螺子孔１７を設けた上下一対のボス１６，１６が突設されている。
【００１６】
一方、箱部材１０は、前記取付口１３と連通する透口１８を有し、正面方形枠状に成形される。この透口１８にも灰皿６が介入する。透口１８の下縁部であって下側壁１０ａの前端縁に水平な軸筒部１９が配置される。また、下側壁１０ａの後部上面に上方へ突出する突状部２０が設けられ、該突状部２０に水平面内で回動する固定手段としての第二レバー２１がビス２１ｂにより軸着される。更に、左右側壁１０ｂ，１０ｂの外側前端部に前記各ボス１６に対応位置して側面コ字型の接合片部２２，２２が設けられ、各接合片部２２に前後方向に開設される螺子挿通孔２３が設けられている。
【００１７】
灰皿６は、側面略Ｖ字型に成形され上面と前面が開口２４ａ，２４ｂする灰皿本体２５と、その前面に軸着される蓋板２６とからなる。灰皿本体２５の左右側壁２５ａ，２５ａの下端中央にそれぞれ下方へ突出する軸支片２７，２７が設けられ、各軸支片２７に前記軸筒部１９の軸孔１９ａと連通する軸孔２７ａが開設される。また、前面の開口２４ｂ近傍の上部、すなわち左右側壁２５ａ，２５ａの前端上部、に蓋板２６を軸着するための軸孔２８が開設される。更に、後側壁２５ｂの後面下縁に前記第二レバー２１と係合し得る突片２９が突設される。
【００１８】
蓋板２６は、前記取付口１３に合致して嵌り、該取付口１３を塞ぐ大きさを有し、後面の中央上部に横一文字状に火の付いたタバコを押し付けて消すための火消し部３０が突設されている。また、同じく蓋板２６後面の上部両側にそれぞれ軸孔３１が開設された二股状の支持片３２，３２が突設される。そして、左右の各支持片３２，３２間に灰皿本体２５の左右側壁２５ａ，２５ａの前端上部を介入させ、各軸孔２８，３１にそれぞれ軸ピン３３を挿通することにより、蓋板２６が各軸ピン３３を支点として前後に回動することになる。
【００１９】
また、蓋板２６の裏面下部に二股状の係止片３４が突設され、蓋板２６が灰皿本体２５前面の開口２４ｂを塞いだとき、その二股状の係止片３４間に灰皿本体２５の下側壁２５ｃの下面に突設される係止ピン３５がきつく嵌入して容易に外れないようになっている。なお、差し支えなければ、前記蓋板２６を灰皿本体２５と一体に成形するようにしても良い。
【００２０】
そこで、装飾部材９の後面に箱部材１０を当接し、左右の各ボス１６を接合片部２２内に介入し、各螺子挿通孔２３を介して各螺子孔１７に螺子３６を螺締する。これにより、保持枠体８が組み立てられる。更に、取付口１３を介してその前側から透口１８内に灰皿６を挿入し、両側の軸支片２７、２７の各軸孔２７ａ，２７ａを軸筒部１９の各軸孔１９ａに合致させ、この状態で各軸孔２７ａを介し軸筒部１９の軸孔１９ａに支軸３７を抜けないように挿通する。
【００２１】
次に、図３に示すように灰皿６を禁煙者用として使用する場合は、灰皿６を後側へ回動させて保持枠体８内に収納させる。この際、図４に示すように突片２９にその上から第二レバー２１を係合させる。このとき、第一レバー１５は非係合状態にある。これにより、取付口１３に蓋板２６が嵌合して該取付口１３を塞ぐ。また、図６に示すように灰皿６を喫煙者用として使用する場合は、前記第二レバー２１の係合を解き、灰皿６を前側へ回動させて保持枠体８の外に露出させる。この際、図７に示すように灰皿本体２５の後側壁２５ｂの後面に第一レバー１５を係合させることにより灰皿６が固定される。また、この状態で、蓋板２６を前側へ回動させれば、図８に示すように灰皿本体２５の前面開口２４ｂが開き、灰皿本体２５内のタバコの吸殻を取り除くことができるようになっている。
【００２２】
本発明に係るパチンコ遊技機Ｐは上記構成からなり、灰皿６が組み込まれた保持枠体８は、パチンコ遊技機Ｐの前面枠２の前面下部２ａに適宜固定手段（図示せず。）により取り付けられる。この場合、取付口１３は前面下部２ａの前面とほぼ平行な鉛直面内に位置する。そして、例えば、図１、図９に示すようにパチンコ遊技機Ｐを禁煙者用として使用する場合は、前面枠２を開放した状態で、灰皿６を後側に回動して保持枠体８内に収納する。次に、前面枠２の後側で第二レバー２１を水平面内で回動させ灰皿本体２５後側の突片２９に係合させる。このとき、蓋板２６は保持枠体８の取付口１３に嵌合する。また、灰皿６は収納された禁煙位置でしっかりと固定され、前側へ露出するようなことはない。このように、灰皿６が前面枠２の前面から前方へほとんど突出してないことから、例えば、パチンコ遊技機Ｐにトラブルが発生し、前面枠２を開けた場合でも、誤って隣の遊技者の操作ハンドル７を握った手に衝突するといった危険性がない。
【００２３】
この状態では、前記蓋板６の前面に成形されるスペース３８が表示を掲載する面として利用でき、スペース３８の有効利用が図られる。表示には、例えば、広告、各種デザイン画、「吸いすぎに注意しましょう」といった標語等の文字又は絵が含まれる。
【００２４】
次に、図２、図１０に示すようにパチンコ遊技機Ｐを喫煙者用として使用する場合は、同様に前面枠２を開放した状態で、第二レバー２１の係合を解くと共に灰皿６を前側に回動して保持枠体８の外へ露出させる。この状態で、第一レバー１５を鉛直面内で回動させ灰皿本体２５の後側壁２５ｂの後面に係合させる。このようにして、灰皿６が外へ露出した喫煙位置でしっかりと固定される。
【００２５】
更に、灰皿６内に溜まったタバコの吸殻を取り除くには、図１１に示すように係止片３４と係止ピン３５との係合を解き、蓋板２６を前側へ回動させる。これにより、灰皿本体２５前面の開口２４ｂが開き、そこから吸殻を取り出す。下側壁２５ｃが前側へ下傾していることもあり、吸殻が排出し易い。
【００２６】
このように、本発明に係るパチンコ遊技機Ｐは、喫煙者用として使用される灰皿６が喫煙位置でしっかりと固定されることから、遊技者が不注意に灰皿６に触れても該灰皿６が勝手に前側へ回動することがなく、タバコの吸殻が誤って遊技者の着衣や床面に零れて汚すといったことがない。また、灰皿６を前後に回動させ取付口１３から引き出したり押し込むのみで、パチンコ遊技機Ｐを喫煙者用と禁煙者用とに変換することができ、その交換が極めて簡単に行なえる。しかも、灰皿が安定して不具合が生じない。
【００２７】
本発明においては、前面枠２の前面下部２ａから保持枠体８を前側へ突出させたが、保持枠体８の前側板１１の前面と前面枠２の前面下部２ａとが面一になるようにしても良く、また、前面枠２に直接灰皿６を組付けるようにしても良い。
【００２８】
更に、灰皿６を組付けた保持枠体８を前面枠２の前面下部２ａに取り付けるようにしたが、パチンコ遊技機Ｐの機種によって、前面枠２の前面下部２ａに下球皿を装着した下部板が開閉自在に軸着されたもの、または、前記前板４が前面枠２の前面下部２ａまで延設されているものがあるが、このような下部板や前板に灰皿６を組み込んだ保持枠体８を装着するようにしても良いこと勿論である。
【図面の簡単な説明】
【００２９】
【図１】本発明に係り禁煙者用のパチンコ遊技機の前面下部の斜視図。
【図２】同喫煙者用のパチンコ遊技機の前面下部の斜視図。
【図３】灰皿を後側へ回動させた保持枠体の前面斜視図。
【図４】同後面斜視図。
【図５】同分解斜視図。
【図６】灰皿を前側へ回動させた保持枠体の前面斜視図。
【図７】同保持枠体の後面斜視図。
【図８】同蓋板を前側へ回動させた保持枠体の前面斜視図。
【図９】禁煙者用のパチンコ遊技機の灰皿部位の側面断面図。
【図１０】喫煙者用のパチンコ遊技機の灰皿部位の側面断面図。
【図１１】同吸殻を取除く状態を示す灰皿部位の側面断面図。
【符号の説明】
【００３０】
２ａ                  前面下部
６                    灰皿
１３                  取付口
１５                  固定手段（第一レバー）
２１                  固定手段（第二レバー）
２４ａ                開口
Ｐ                    弾球遊技機（パチンコ遊技機）
【図１】
2006116146.tif 000003
【図２】
2006116146.tif 000004
【図３】
2006116146.tif 000005
【図４】
2006116146.tif 000006
【図５】
2006116146.tif 000007
【図６】
2006116146.tif 000008
【図７】
2006116146.tif 000009
【図８】
2006116146.tif 000010
【図９】
2006116146.tif 000011
【図１０】
2006116146.tif 000012
【図１１】
2006116146.tif 000013